(57)【特許請求の範囲】
【請求項１】
第１の底板を有するユニットケースと、鍵盤シャーシと、複数の鍵が並列に配列された鍵盤部と、複数の蓋部が折り曲がり可能に連結される鍵盤蓋と、前記鍵盤蓋が前記鍵盤部の上側に覆った際に、前記複数の蓋部の折り曲げを解除するよう前記鍵盤蓋をガイドし、且つ前記鍵盤蓋が前記鍵盤部の上側を開放した際に、前記複数の蓋部の少なくとも一部を、前記鍵盤部後部でかつ前記底板方向に向けることによって、前記鍵盤部後方の前記ユニットケース内に収納するように、前記鍵盤蓋を折り曲げてガイドする蓋ガイド部と、を備えた鍵盤ユニットと、
スピーカが下向きに取り付けられた第２の底板と、当該第２底板の後端部に起立させて取り付けられた後板と、前記第２の底板及び後板に取り付けられた一対の第１の側板と、を備えた本体ケースと、
を備え、
前記本体ケースの底板の前端部に前記ユニットケースの底板の後端部が取り付けられるとともに、前記ユニットケースと前記本体ケースの両側部との両方に跨って一対の側板が取り付けられ、かつ当該一対の側板と前記後板の上部とに天板が取り付けられることにより、当該本体ケース内を前記スピーカの音響空間とすることを特徴とする鍵盤楽器。
【請求項２】
請求項１に記載された鍵盤楽器において、前記鍵盤蓋は、前記蓋ガイド部によってガイドされて前記鍵盤部の上側を開放した際に、前記複数の蓋部が折れ曲がって前記鍵盤部の後部に接近した状態で配置されていることを特徴とする鍵盤楽器。
【請求項３】
第１の底板を有するユニットケースと、鍵盤シャーシと、複数の鍵が並列に配列された鍵盤部と、複数の蓋部が折り曲がり可能に連結される鍵盤蓋と、前記鍵盤蓋が前記鍵盤部の上側に覆った際に、前記複数の蓋部の折り曲げを解除するよう前記鍵盤蓋をガイドし、且つ前記鍵盤蓋が前記鍵盤部の上側を開放した際に、前記複数の蓋部の少なくとも一部を、前記鍵盤部後部でかつ前記底板方向に向けることによって、前記鍵盤部後方の前記ユニットケース内に収納するように、前記鍵盤蓋を折り曲げてガイドする蓋ガイド部と、を備えた鍵盤ユニットと、
第２の底板と、当該第２の底板の前端部に起立させて取り付けられるとともにスピーカが前向きに取り付けられた取付板と、前記第２底板の後端部に起立させて取り付けられた後板と、前記第２の底板及び後板に取り付けられた一対の第１の側板と、を備えた本体ケースと、
を備え、
前記本体ケースの底板の前端部に前記ユニットケースの底板の後端部が取り付けられるとともに、前記ユニットケースと前記本体ケースの両側部との両方に跨って一対の側板が取り付けられ、かつ当該一対の側板と前記後板の上部とに天板が取り付けられることにより、当該本体ケース内を前記スピーカの音響空間とすることを特徴とする鍵盤楽器。
【請求項４】
請求項３に記載の鍵盤楽器において、前記鍵盤蓋は、前記蓋ガイド部によってガイドされて前記鍵盤部の上側を開放した際に、前記複数の蓋部が折れ曲がって前記鍵盤部の後部に接近した状態で配置されていることを特徴とする鍵盤楽器。
【発明の詳細な説明】
【技術分野】
【０００１】
この発明は、電子ピアノや電子オルガンなどの鍵盤楽器に関する。
【背景技術】
【０００２】
例えば、鍵盤楽器においては、特許文献１に記載されているように、楽器ケース内に鍵盤部を設け、この鍵盤部を鍵盤蓋で開閉自在に覆うように構成されたものが知られている。この場合、楽器ケースは、底板、前板、後板、側板、および天板を備え、この天板の前側が上方に開放されたほぼ箱形状に形成されている。また、鍵盤蓋は、前蓋と後蓋とを折り曲げ可能に連結した構成になっている。
【先行技術文献】
【特許文献】
【０００３】
【特許文献１】特開平０８−３１４４３５号公報
【発明の概要】
【発明が解決しようとする課題】
【０００４】
このような鍵盤楽器では、楽器ケース内にスピーカなどの付属部品を配置する際に、鍵盤蓋の開閉動作に伴って付属部品の設置位置が制約を受ける。このため、この鍵盤楽器では、例えば付属部品であるスピーカを底板上に設置する場合と、スピーカを天板の下面に設置する場合とで、楽器ケースの大きさおよび形状が異なり、スピーカの設置位置に応じて楽器ケースをそれぞれ個別に製作する必要がある。また、楽器ケース内のスピーカの近傍に形成される音響空間は、鍵盤蓋の移動によりその空間の分断などの音響的影響を極力避ける必要がある。これらの制約により、製作が煩雑で面倒であり、コストが高くなるという問題がある。
【０００５】
この発明が解決しようとする課題は、鍵盤楽器を構成する基本的な部品の共通化を図り、生産性の向上を図ることができる鍵盤楽器を提供することである。
【課題を解決するための手段】
【０００６】
この発明は、第１の底板を有するユニットケースと、鍵盤シャーシと、複数の鍵が並列に配列された鍵盤部と、複数の蓋部が折り曲がり可能に連結される鍵盤蓋と、前記鍵盤蓋が前記鍵盤部の上側に覆った際に、前記複数の蓋部の折り曲げを解除するよう前記鍵盤蓋をガイドし、且つ前記鍵盤蓋が前記鍵盤部の上側を開放した際に、前記複数の蓋部の少なくとも一部を、前記鍵盤部後部でかつ前記底板方向に向けることによって、前記鍵盤部後方の前記ユニットケース内に収納するように、前記鍵盤蓋を折り曲げてガイドする蓋ガイド部と、を備えた鍵盤ユニットと、スピーカが下向きに取り付けられた第２の底板と、当該第２底板の後端部に起立させて取り付けられた後板と、前記第２の底板及び後板に取り付けられた一対の第１の側板と、を備えた本体ケースと、を備え、前記本体ケースの底板の前端部に前記ユニットケースの底板の後端部が取り付けられるとともに、前記ユニットケースと前記本体ケースの両側部との両方に跨って一対の側板が取り付けられ、かつ当該一対の側板と前記後板の上部とに天板が取り付けられることにより、当該本体ケース内を前記スピーカの音響空間とすることを特徴とする鍵盤楽器である。
また、この発明は、第１の底板を有するユニットケースと、鍵盤シャーシと、複数の鍵が並列に配列された鍵盤部と、複数の蓋部が折り曲がり可能に連結される鍵盤蓋と、前記鍵盤蓋が前記鍵盤部の上側に覆った際に、前記複数の蓋部の折り曲げを解除するよう前記鍵盤蓋をガイドし、且つ前記鍵盤蓋が前記鍵盤部の上側を開放した際に、前記複数の蓋部の少なくとも一部を、前記鍵盤部後部でかつ前記底板方向に向けることによって、前記鍵盤部後方の前記ユニットケース内に収納するように、前記鍵盤蓋を折り曲げてガイドする蓋ガイド部と、を備えた鍵盤ユニットと、第２の底板と、当該第２の底板の前端部に起立させて取り付けられるとともにスピーカが前向きに取り付けられた取付板と、前記第２底板の後端部に起立させて取り付けられた後板と、前記第２の底板及び後板に取り付けられた一対の第１の側板と、を備えた本体ケースと、を備え、前記本体ケースの底板の前端部に前記ユニットケースの底板の後端部が取り付けられるとともに、前記ユニットケースと前記本体ケースの両側部との両方に跨って一対の側板が取り付けられ、かつ当該一対の側板と前記後板の上部とに天板が取り付けられることにより、当該本体ケース内を前記スピーカの音響空間とすることを特徴とする鍵盤楽器である。
【発明の効果】
【０００７】
この発明によれば、ユニットケース、鍵盤部、鍵盤蓋、および蓋ガイド部をユニット化し、鍵盤楽器を構成する基本的な部品の共通化を図ることができると共に、蓋ガイド部によって鍵盤蓋を開いた際に、鍵盤蓋によって鍵盤部の後部を覆って仕切ることができるので、スピーカなどの付属部品の設置位置に応じて楽器ケースの大きさや形状が異なっても、その機種ごとに異なる部分のみを増設するだけで、簡単に楽器を製作することができ、これにより生産性の向上を図り、低コスト化を図ることができる。
【図面の簡単な説明】
【０００８】
【図１】この発明を鍵盤楽器に適用した一実施形態における鍵盤ユニットを示した拡大断面図である。
【図２】図１に示された鍵盤ユニットにおいて鍵盤蓋を開いて鍵盤部を上側に露呈させた状態を示した拡大断面図である。
【図３】図２に示された鍵盤ユニットの要部を分解して示した分解斜視図である。
【図４】図３に示された鍵盤ユニットに第１本体ケースを取り付けた鍵盤楽器を示した斜視図である。
【図５】図４に示された鍵盤楽器の拡大断面図である。
【図６】図３に示された鍵盤ユニットに第２本体ケースを取り付けた鍵盤楽器を示した斜視図である。
【図７】図６に示された鍵盤楽器の拡大断面図である。
【図８】図３に示された鍵盤ユニットに第３本体ケースを取り付けた鍵盤楽器を示した斜視図である。
【図９】図８に示された鍵盤楽器の拡大断面図である。
【発明を実施するための形態】
【０００９】
以下、図１〜図９を参照して、この発明を鍵盤楽器に適用した一実施形態について説明する。
この鍵盤楽器は、図１〜図３に示すように、鍵盤ユニット１を備えている。この鍵盤ユニット１は、ユニットケース３、鍵盤部４、鍵盤蓋５、蓋ガイド部６、およびコンソールパネル７と共に一体化されて製作されている。ユニットケース３は、底板８と、この底板８の前部に起立して設けられた前板９とを有している。
【００１０】
鍵盤部４は、図１〜図３に示すように、ユニットケース３の底板８上に配置された鍵盤シャーシ１０と、この鍵盤シャーシ１０上に上下方向に回転可能な状態で並列に配列された複数の鍵１１とを有し、この複数の鍵１１の各前端部が前板９に接近してその上方に少し突出した状態で、ユニットケース３上に配置されるように構成されている。
【００１１】
コンソールパネル７は、図１〜図３に示すように、鍵盤部４の後部から斜め後側上方に向けて傾斜した状態で配置されている。鍵盤蓋５は、鍵盤部４およびコンソールパネル７を開閉可能に覆うように構成されている。すなわち、この鍵盤蓋５は、前蓋１２と後蓋１３とを有し、この前蓋１２と後蓋１３とを蝶番１４によって折り曲がり可能に連結した構成になっている。
【００１２】
蓋ガイド部６は、図１〜図３に示すように、ユニットケース３の側方に取り付けられており、鍵盤蓋５を開閉自在にガイドして鍵盤蓋５が鍵盤部４の上側を覆って閉じた際に、前蓋１２と後蓋１３とをほぼ平板状に配置し、且つ鍵盤蓋５が開いて鍵盤部４を上側に開放した際に、前蓋１２と後蓋１３とを蝶番１４で折り曲げて後蓋１３を鍵盤部４の後部に接近させて覆う状態で配置するように構成されている。すなわち、蓋ガイド部６は、一対のガイド板１５にガイドレール１６とガイド部材１７とをそれぞれ設けた構成になっている。
【００１３】
この場合、ガイドレール１６は、図１および図２に示すように、一対のガイド板１５の内面にそれぞれ斜めに傾斜して設けられ、前蓋１２の前端部に設けられたガイド軸１２ａと後蓋１３の前端部に設けられたガイド軸１３ａとをガイドするように構成されている。すなわち、このガイドレール１６は、鍵盤部４の前端部から鍵盤部４の後部上方に位置するコンソールパネル７の上方を経てその後方に位置する箇所に亘って傾斜した状態で、ガイド板１５の内面に設けられている。
【００１４】
また、ガイド部材１７は、図１〜図３に示すように、鍵盤部４の後端部の上部付近に位置する箇所のガイド板１５の内面に設けられた支持軸１８と、この支持軸１８に回転自在に取り付けられたアーム部１９と、このアーム部１９の先端と後蓋１３の後端とを連結する連結軸２０と、ガイド板１５に支持軸１８を中心とする円弧状に設けられて連結軸２０をガイドするガイド溝部２１とを備えている。
【００１５】
これにより、蓋ガイド部６は、図１に示すように、鍵盤蓋５の前蓋１２と後蓋１３とが鍵盤部４の上側を覆って閉じた際に、前蓋１２のガイド軸１２ａがガイドレール１６の前端部に位置し、後蓋１３のガイド軸１３ａがガイドレール１６の中間部に位置し、後蓋１３の後端部に位置する連結軸２０がガイド溝部２１の上端部に位置することにより、前蓋１２と後蓋１３とを前下がりに傾斜させた状態で平板状に配置するように構成されている。
【００１６】
また、この蓋ガイド部６は、図２に示すように、鍵盤蓋５の前蓋１２と後蓋１３とが開いて鍵盤部４を上側に開放した際に、前蓋１２と後蓋１３とが蝶番１４で折れ曲がり、前蓋１２のガイド軸１２ａが鍵盤部４の後部上方に位置するガイドレール１６の箇所に位置し、後蓋１３のガイド軸１３ａがガイドレール１６の後端部に位置し、この後蓋１３の後端部に位置する連結軸２０がガイド溝部２１の下端部に位置することにより、鍵盤部４の後部を覆うように、後蓋１３を前蓋１２に対し折り曲げて鍵盤部４の後部に接近させた状態で、垂下させて配置するように構成されている。このため、開蓋時には鍵盤蓋５がスピーカ２６の音響空間に位置することを避ける構造にすることが可能になり、音響空間の性能を十分発揮することができる。
【００１７】
ところで、この鍵盤ユニット１は、図４〜図９に示すように、機種によって大きさや形状の異なる複数の本体ケース２３〜２５のいずれかが取り付けられるように構成されている。この複数の本体ケース２３〜２５は、それぞれ底板２３ａ、２４ａ、後板２３ｂ〜２５ｂ、天板２３ｃ〜２５ｃ、および一対の側板２３ｄ〜２５ｄを備えている。これら底板２３ａ、２４ａ、後板２３ｂ〜２５ｂ、天板２３ｃ〜２５ｃ、および一対の側板２３ｄ〜２５ｄは、それぞれ機種によって大きさおよび形状が異なっている。
【００１８】
すなわち、この複数の本体ケース２３〜２５のうち、第１本体ケース２３は、図４および図５に示すように、その左右両側に脚部を有し、内部にスピーカ２６が下向きに配置されるように構成されている。この場合、底板２３ａは、その前後方向の長さがスピーカ２６の外径とほぼ同じ長さで形成され、鍵盤ユニット１の底板８の後端面にダボなどの連結部材（図示せず）によって取り付けられるように構成されている。
【００１９】
この第１本体ケース２３の後板２３ｂは、図５に示すように、鍵盤ユニット１の底板８から鍵盤蓋５の上面までの高さよりも少し高く形成され、底板２３ａの後端部上に起立して設けられている。天板２３ｃは、その前後方向の長さが後板２３ｂの上部から鍵盤ユニット１のコンソールパネル７の上方に位置する箇所に亘る長さで形成されている。
【００２０】
一対の側板２３ｄは、図４に示すように、脚部を兼ねる縦長の平板であり、側板部２７ａと脚部２７ｂとを備えている。この場合、側板部２７ａは、図５に示すように、ユニットケース３と本体ケース２３との両方に跨って配置され、その内面に鍵盤ユニット１の蓋ガイド部６が取り付けられるように構成されている。
【００２１】
すなわち、この側板部２７ａは、図４および図５に示すように、その前後方向の長さがユニットケース３の前板９から本体ケース２３の後板２３ｂまでの長さで、高さが底板８および後側の底板２３ａから天板２３ｃまでの高で形成されている。また、この側板２３ｄの脚部２７ｂは、その前後方向の長さが天板２３ｃの前後方向の長さとほぼ同じ長さで、上下方向に長く形成されている。この場合、一対の脚部２７ｂの後部間には、図４に示すように、補強板２７ｃが設けられている。
【００２２】
また、複数の本体ケース２３〜２５のうち、第２本体ケース２４は、高級な木材からなり、図６および図７に示すように、その左右両側および後部に脚部を有し、内部にスピーカ２６が前向きに配置されるように構成されている。この場合、底板２４ａは、その前後方向の長さがスピーカ６の厚みとほぼ同じ長さで形成され、鍵盤ユニット１の底板８の後端面にダボなどの連結部材（図示せず）によって取り付けられるように構成されている。この底板２４ａと鍵盤ユニット１の底板８との境界部付近には、スピーカ２６を取りけるための取付板２８が起立して設けられている。
【００２３】
また、この第２本体ケース２４の後板２４ｂは、図６および図７に示すように、後部側の脚部を兼ねるものであり、底板２４ａの後端部に上下方向に沿って設けられている。すなわち、この後板２４ｂは、底板２４ａの上側の高さがスピーカ２６の外径よりも少し高く、且つ鍵盤ユニット１の底板８から鍵盤蓋５の上面までの高さよりも高く形成され、また底板２４ａの下側の高さが十分に長く形成されて脚部を形成するように構成されている。
【００２４】
天板２４ｃは、図７に示すように、その前後方向の長さが後板２４ｂの上部から鍵盤ユニット１のコンソールパネル７の上方に位置する箇所に亘る長さで形成されている。この天板２４ｃの前端部には、前カバー部２４ｅが設けられている。また、一対の側板２４ｄは、図６に示すように、脚部を兼ねる縦長の平板であり、側板部２９ａと脚部２９ｂとを備えている。この場合、側板部２９ａは、ユニットケース３と第２本体ケース２４との両方に跨って配置され、その内面に鍵盤ユニット１の蓋ガイド部６が取り付けられるように構成されている。
【００２５】
すなわち、この側板部２９ａは、図７に示すように、その前後方向の長さがユニットケース３の前板９から第２本体ケース２４の後板２４ｂまでの長さで、高さが底板８および後側の底板２４ａから天板２４ｃまでの高で形成されている。また、この側板２４ｄの脚部２９ｂは、図６に示すように、その前後方向の長さが天板２４ｃの前後方向の長さとほぼ同じ長さで、上下方向に長く形成されている。この脚部２９ｂは、その下端部がユニットケース３の前板９に対応する位置に延出されている。
【００２６】
さらに、複数の本体ケース２３〜２５のうち、第３本体ケース２５は、図８および図９に示すように、ユニットケース３の下面にスピーカ２６が上向きに配置されるように構成されている。この場合、スピーカ２６は、ユニットケース３の下面に設けられたスピーカボックス２６ａによって覆われている。この第３本体ケース２５は、後板２５ｂがユニットケース３の底板８の後端部にダボなどの連結部材（図示せず）によって起立して設けられるように構成されている。
【００２７】
この後板２５ｂは、図９に示すように、鍵盤ユニット１の底板８から鍵盤蓋５の上面までの高さとほぼ同じ高さで形成されている。また、天板２５ｃは、その前後方向の長さが後板２５ｂの上部から鍵盤ユニット１のコンソールパネル７の上方に位置する箇所に亘る長さで形成されている。
【００２８】
一対の側板２５ｄは、図９に示すように、ユニットケース３と第３本体ケース２５との両方に跨って配置され、その内面に鍵盤ユニット１の蓋ガイド部６が取り付けられるように構成されている。すなわち、この一対の側板２５ｄは、その前後方向の長さがユニットケース３の前板９から本体ケース２５の後板２５ｂまでの長さで、高さが底板８および後側の底板２３ａから天板２５ｃまでの高で形成されている。
【００２９】
次に、このような鍵盤楽器の作用について説明する。
まず、鍵盤楽器を構成する基本的な部品、すなわちユニットケース３、鍵盤部４、鍵盤蓋５、蓋ガイド部６、およびコンソールパネル７をユニット化して、鍵盤ユニット１を構成する。この場合には、底板８の前端部に前板９を起立させて取り付けることにより、ユニットケース３を構成する。
【００３０】
また、鍵盤シャーシ１０上に複数の鍵１１を上下方向に回転可能な状態で並列に配列することにより、鍵盤部４を構成する。この鍵盤部４の鍵盤シャーシ１０をユニットケース３の底板８上に配置する。また、前蓋１２と後蓋１３とを蝶番１４によって折り曲げ可能に連結することにより、鍵盤蓋５を構成する。さらに、鍵盤部４の両側に位置するユニットケース３の底板８上に一対の蓋ガイド部６を配置する。
【００３１】
そして、この一対の蓋ガイド部６間にコンソールパネル７を鍵盤部４の後部の上側に対応させて配置し、この状態で鍵盤蓋５を一対の蓋ガイド部６間に移動可能に取り付ける。このときには、前蓋１２のガイド軸１２ａと後蓋１３のガイド軸１３ａとを蓋ガイド部６のガイドレール１６に移動可能に配置すると共に、後蓋１３の後端部をガイド部材１７に連結する。
【００３２】
この場合には、予め、鍵盤部４の後端部上に位置する箇所の蓋ガイド部６のガイド板１５にガイド部材１６の支持軸１８を取り付けると共に、この支持軸１８にアーム部１９を回転自在に取り付ける。また、鍵盤部４の後方に位置する箇所の蓋ガイド部６のガイド板１５にガイド部材１７のガイド溝部２１を設ける。この状態で、ガイド部材１７のガイド溝部２１によってガイドされる連結軸２０で、鍵盤蓋５の後蓋１３の後端部とアーム部材１９の先端部とを連結する。これにより、鍵盤ユニット１が構成される。
【００３３】
このような鍵盤ユニット１では、鍵盤蓋５の前蓋１２と後蓋１３とが鍵盤部４の上側を覆って閉じる際に、蓋ガイド部６のガイドレール１６が前蓋１２のガイド軸１２ａおよび後蓋１３のガイド軸１３ａをガイドし、前蓋１２のガイド軸１２ａがガイドレール１６の前端部に配置され、後蓋１３のガイド軸１３ａがガイドレール１６の中間部に配置され、後蓋１３の後端部に位置する連結軸２０がガイド部材１７のアーム部１９の回転に伴ってガイド溝部２１の上端部に配置される。これにより、前蓋１２と後蓋１３が前下がりに傾斜した状態で平板状に配置される。
【００３４】
また、この鍵盤ユニット１では、鍵盤蓋５の前蓋１２と後蓋１３とが開いて鍵盤部４を上側に開放する際に、蓋ガイド部６のガイドレール１６によって前蓋１２と後蓋１３とがガイドされながら蝶番１４で折れ曲がり、前蓋１２のガイド軸１２ａが鍵盤部４の後部上方に位置するガイドレール１６の箇所に位置し、後蓋１３のガイド軸１３ａがガイドレール１６の後端部に位置し、この後蓋１３の後端部に位置する連結軸２０がガイド部材１７のアーム部１９の回転に伴ってガイド溝部２１の下端部に配置される。これにより、後蓋１３が鍵盤部４の後部を覆うように、折れ曲がって鍵盤部４の後部に接近した状態で垂下されて配置される。
【００３５】
そして、このような鍵盤ユニット１に複数の本体ケース２３〜２５のいずれかを取り付けて鍵盤楽器を構成する。この場合、複数の本体ケース２３〜２５のうち、例えば図４および図５に示すように、第１本体ケース２３を鍵盤ユニット１に取り付ける際には、予め、底板２３ａの後端部に後板２３ｂを起立させて取り付け、この底板２３ａ上にスピーカ２６を下向きに取り付ける。
【００３６】
この状態で、第１本体ケース２３の両側部に一対の側板２３ｄを取り付ける。このときには、一対の側板２３ｄの各側板部２７ａを第１本体ケース２３の底板２３ａと後板２３ｂとに取り付ける。これにより、第１本体ケース２３の底板２３ａと後板２３ｂとが一対の側板２３ｄの下部側に位置する各脚部２７ｂによって支持される。
【００３７】
そして、この第１本体ケース２３に鍵盤ユニット１のユニットケース３を取り付ける。このときには、まず、一対の側板２３ｄの各側板部２７ａの内面に鍵盤ユニット１の蓋ガイド部６のガイド板１５を取り付ける。この状態で、第１本体ケース２３の底板２３ａの前端部をユニットケース３の底板８の後端部にダボなどの連結部材（図示せず）によって取り付けると共に、ユニットケース３の両側部に一対の側板２３ｄを取り付ける。
【００３８】
すると、一対の側板２３ｄは、その上部に位置する側板部２７ａがユニットケース３と第１本体ケース２３との両方に跨った状態で取り付けられ、下部側に位置する脚部２７ｂによってユニットケース３と第１本体ケース２３とを支持する。この後、天板２３ｃを一対の側板２３ｄの上部と後板２３ｂの上部に取り付ける。
【００３９】
これにより、鍵盤部４が上方に露出可能な状態で、鍵盤楽器が構成される。このように構成された鍵盤楽器では、鍵盤蓋５を開いて鍵盤部４を露呈させ、この状態で鍵盤部４の複数の鍵１１を押鍵操作して演奏を行うと、その演奏に応じた楽音がスピーカ２６から放音される。このときには、スピーカ２６が第１本体ケース２３内に下向きに配置されているので、高音側の音が下側に放音され、低音側の音が第１本体ケース２３および鍵盤部４側から放音される。
【００４０】
この場合、第１本体ケース２３内は、鍵盤蓋５によってユニットケース３に対して仕切られた状態になるため、スピーカ２６の音響空間となる。すなわち、鍵盤蓋５を開いて鍵盤部４を露呈させると、鍵盤蓋５の前蓋１２と後蓋１３とが折れ曲がって鍵盤部４の後部を覆って状態になるので、この折れ曲がった前蓋１２と後蓋１３とによって第１本体ケース２３とユニットケース３とがほぼ仕切られた状態になる。このため、スピーカ２６から放音された高音側の音が第１本体ケース２３の下側から放音され、低音側の音が第１本体ケース２３の上側および鍵盤部４側から前側に向けて放音される。
【００４１】
また、複数の本体ケース２３〜２５のうち、例えば図６および図７に示すように、第２本体ケース２４を鍵盤ユニット１に取り付ける際には、予め、底板２４ａの前端部に取付板２８を起立させて取り付け、この取付板２８にスピーカ２６を前向きに取り付ける。この状態で、第２本体ケース２４の両側部に一対の側板２４ｄを取り付けると共に、第２本体ケース２４の後部に後板２４ｂを取り付ける。
【００４２】
このときには、一対の側板２４ｄの各側板部２９ａを第２本体ケース２４の底板２４ａに取り付ける。すると、第２本体ケース２４の底板２４ａが一対の側板２４ｄの下部側に位置する各脚部２９ｂによって支持される。また、第２本体ケース２４の底板２４ａの後端部に後板２４ｂの上部側を取り付ける。すると、後板２４ｂの下部側が脚部となり、この脚部の両側部を一対の側板２４ｄの脚部２９ｂに取り付ける。これにより、第２本体ケース２４の底板２４ａが一対の側板２４ｄの各脚部２９ｂおよび後板２４ｂの脚部によって支持される。
【００４３】
この状態で、第２本体ケース２４に鍵盤ユニット１のユニットケース３を取り付ける。このときには、まず、一対の側板２４ｄの各側板部２９ａの内面に鍵盤ユニット１の蓋ガイド部６のガイド板１５を取り付ける。そして、底板２４ａの前端部をユニットケース３の底板８の後端部にダボなどの連結部材（図示せず）によって取り付けると共に、一対の側板２４ｄの各側板部２９ａをユニットケース３の底板８に取り付ける。
【００４４】
これにより、一対の側板２４ｄの側板部２９ａがユニットケース３と第２本体ケース２４との両方に跨った状態で取り付けられ、この一対の側板２４ｄの各脚部２９ｂと後板２４ｂの脚部とによってユニットケース３と第２本体ケース２４とが支持される。この後、天板２４ｃを一対の側板２４ｄの上部と後板２４ｂの上部に取り付ける。
【００４５】
これにより、鍵盤部４が上方に露出可能な状態で、鍵盤楽器が構成される。このように構成された鍵盤楽器では、鍵盤蓋５を開いて鍵盤部４を上側に露呈させ、この状態で鍵盤部４の複数の鍵１１を押鍵操作して演奏を行うと、その演奏に応じた楽音がスピーカ２６から放音される。このときには、スピーカ２６が第２本体ケース２４内に前向きに配置されているので、高音側の音が鍵盤部４側から前側に向けて放音され、低音側の音が第２本体ケース２４から放音される。
【００４６】
この場合には、第２本体ケース２４内が取付板２８によってユニットケース３に対して仕切られているため、スピーカ２６の音響空間となる。また、鍵盤蓋５を開いて鍵盤部４が露呈しているので、この鍵盤部４の複数の鍵１１の隙間から楽音が前側に向けて放音される。このため、スピーカ２６から放音された高音側の音が鍵盤部４の複数の鍵１１の隙間から前側に向けて放音され、低音側の音が第２本体ケース２４の上側、下側、後部側から放音される。
【００４７】
さらに、複数の本体ケース２３〜２５のうち、例えば図８および図９に示すように、第３本体ケース２５を鍵盤ユニット１に取り付ける際には、まず、第２本体ケース２５の後板２５ｂをユニットケース３の底板８の後端部にダボなどの連結部材（図示せず）によって取り付ける。この状態で、ユニットケース３と第３本体ケース２５との両側部に一対の側板２５ｄを取り付ける。このときには、まず、一対の側板２５ｄの内面に鍵盤ユニット１の蓋ガイド部６のガイド板１５を取り付ける。
【００４８】
そして、一対の側板２５ｄをユニットケース３の底板８と第３本体ケース２５の後板２５ｂとの両方に取り付ける。これにより、一対の側板２５ｄは、ユニットケース３と第３本体ケース２５との両方に跨った状態で取り付けられる。この後、天板２５ｃを一対の側板２５ｄの上部と後板２５ｂの上部に取り付ける。この状態で、ユニットケース３の底板８の下面にスピーカ２６を上向きに取り付ける。
【００４９】
これにより、鍵盤部４が上方に露出可能な状態で、鍵盤楽器が構成される。このように構成された鍵盤楽器では、鍵盤蓋５を開いて鍵盤部４を露呈させ、この状態で鍵盤部４の複数の鍵１１を押鍵操作して演奏を行うと、その演奏に応じた楽音がスピーカ２６から放音される。このときには、スピーカ２６がユニットケース３に上向きに配置されているので、高音側の音が鍵盤部４側から前側に向けて放音され、低音側の音がユニットケース３から下側に向けて放音される。
【００５０】
このように、この鍵盤楽器の鍵盤ユニット１によれば、底板８および前板９を有するユニットケース３と、このユニットケース３の底板８上に配置された鍵盤部４と、前蓋１２と後蓋１３が蝶番１４によって折り曲がり可能に連結されて鍵盤部４を開閉可能に覆う鍵盤蓋５と、この鍵盤蓋５を開閉自在にガイドして鍵盤蓋５が鍵盤部４の上側を覆った際に前蓋１２と後蓋１３とをほぼ平板状に配置し、且つ鍵盤蓋５が鍵盤部４を上側に開放した際に前蓋１２と後蓋１３とを折り曲げて鍵盤部４の後部を覆う状態で配置する蓋ガイド部６と、を備えているので、鍵盤楽器を構成する基本的な部品の共通化を図り、生産性の向上を図ることができる。
【００５１】
すなわち、この鍵盤ユニット１では、ユニットケース３、鍵盤部４、鍵盤蓋５、および蓋ガイド部６をユニット化し、鍵盤楽器を構成する基本的な部品の共通化を図ることができると共に、蓋ガイド部６によって鍵盤蓋５を開いた際に、鍵盤蓋５によって鍵盤部４の後部を覆って仕切ることができるので、スピーカ２６などの付属部品の設置位置に応じて楽器ケースの大きさや形状が異なっても、その機種ごとに異なる部分のみを増設するだけで、簡単に楽器を製作することができ、これにより生産性の向上を図ることができると共に、低コスト化を図ることができる。
【００５２】
この場合、鍵盤ユニット１は、ユニットケース３、鍵盤部４、鍵盤蓋５、および蓋ガイド部６のほかに、更にコンソールパネル７をもユニット化することにより、より多くの部品の共通化を図ることができ、これにより楽器の製作の簡素化を図ることができるので、より一層、生産性の向上を図ることができると共に、低コスト化を図ることができる。
【００５３】
また、鍵盤蓋５は、蓋ガイド部６によってガイドされて鍵盤部４を上側に開放した際に、前蓋１２と後蓋１３とが蝶番１４によって折れ曲がり、この折れ曲がった後蓋１３が鍵盤部４の後部に接近した状態で垂下されて配置されていることにより、鍵盤部４の後部を確実に且つ良好に覆うことができると共に、鍵盤ユニット１全体をコンパクトに構成することができる。このため、機種ごとに大きさおよび形状の異なる複数の本体ケース２３〜２５のいずれかが増設されても、その増設された本体ケース２３〜２５とユニットケース３とを良好に仕切りことができる。
【００５４】
このように、この鍵盤楽器によれば、上述した鍵盤ユニット１を備え、この鍵盤ユニット１のユニットケース３に、機種によって大きさおよび形状が異なる複数の本体ケース２３〜２５のいずれかが取り付けられている構成であるから、機種ごとに異なる複数の本体ケース２３〜２５のいずれかを取り付けるだけで、簡単に且つ容易に所望する楽器を製作することができ、これにより生産性の向上を図り、低コスト化を図ることができる。
【００５５】
すなわち、この鍵盤楽器では、複数の本体ケース２３〜２５がそれぞれ底板２３ａ、２４ａ、後板２３ｂ〜２５ｂ、天板２３ｃ〜２５ｃ、および一対の側板２３ｄ〜２５ｄを備え、これら底板２３ａ、２４ａ、後板２３ｂ〜２５ｂ、天板２３ｃ〜２５ｃ、および一対の側板２３ｄ〜２５ｄはそれぞれ機種によって大きさおよび形状が異なっているので、スピーカ２６などの付属部品を設置する際に、その状況に応じた最適な位置に設置することができる。
【００５６】
この場合、複数の本体ケース２３〜２５のうち、例えば第１本体ケース２３は、その内部にスピーカ２６を下向きに配置することができ、また第２本体ケース２４は、その内部にスピーカ２６を前向きに配置することができ、さらに第３本体ケース２５は、スピーカ２６をユニットケース３の下面に上向きに配置することができる。
【００５７】
また、複数の本体ケース２３〜２５のいずれかとユニットケース３との両側部には、その両方に跨る一対の側板２３ｄ〜２５ｄがそれぞれ設けられていることにより、機種によって楽器ケースの大きさおよび形状が異なっていても、一対の側板２３ｄ〜２５ｄによって複数の本体ケース２３〜２５いずれかとユニットケース３とを強固に連結して取り付けることができると共に、用途に応じた楽器ケースを提供することができる。
【００５８】
この場合、第１〜第３の各本体ケース２３〜２５における各一対の側板２３ｄ〜２５ｄのうち、例えば第１、第２の各本体ケース２３、２４における一対の側板２３ｄ、２４ｄはそれぞれ脚部２７ｂ、２９ｂを有しているので、この一対の側板２３ｄ、２４ｄの各脚部２７ｂ、２９ｂによってユニットケース３および第１、第２の各本体ケース２３、２４を所定の高さに確実に且つ良好に支持することができる。
【００５９】
また、第１〜第３の各本体ケース２３〜２５における各一対の側板２３ｄ〜２５ｂの各内面には、蓋ガイド部６がそれぞれ設けられていることにより、蓋ガイド部６を確実に且つ強固に固定することができ、これにより鍵盤蓋５を安定した状態でユニットケース３内に確実に保持することができると共に、鍵盤蓋５を円滑に且つ良好に開閉操作することができるほか、外観的にデザイン的にも好ましいものを得ることができる。
【００６０】
また、第１、第２の各本体ケース２３、２４内には、スピーカ２６が機種ごとに異なる位置にそれぞれ配置されていることにより、機種が異なっても、スピーカ２６を最適な位置に設置することができる。例えば、第１、第２の各本体ケース２３、２４のうち、第１本体ケース２３は、その内部にスピーカ２６を下向きに配置することができ、また第２本体ケース２４は、その内部にスピーカ２６を前向きに配置することができる。
【００６１】
さらに、ユニットケース３および第３本体ケース２５における一方、例えばユニットケース３の下面には、スピーカ２６が配置されていることにより、第３本体ケース２５をコンパクトに構成することができると共に、第３本体ケース２５の構造を簡素化することができるので、楽器を簡単に且つ容易に製作することができ、これにより生産性の向上を図り、低コスト化を図ることができる。
【００６２】
なお、上述した実施形態では、スピーカ２６を第１、第２の各本体ケース２３、２４の内部およびユニットケース３の下面に設けた場合について述べたが、これに限らず、例えば第１、第２の各本体ケース２３、２４の下面にスピーカ２６を上向きに設けても良く、また第１、第２の各本体ケース２３、２４とユニットケース３との両方に跨ってスピーカ２６を設けた構成であっても良い。
【００６３】
また、上述した実施形態では、鍵盤楽器に付属部品としてスピーカ２６を設けた場合について述べたが、必ずしもスピーカ２６を設ける必要はなく、鍵盤楽器をシンセサイザーなどの外部機器と電気的に接続し、その外部機器のスピーカに接続するように構成しても良い。また、付属部品は必ずしもスピーカ２６である必要はなく、回路基板を内蔵した基板ボックスであっても良い。
【００６４】
さらに、上述した実施形態では、鍵盤蓋５が前蓋１２と後蓋１３とを蝶番１４で連結した場合について述べたが、これに限らず、例えば多数の蓋部に分割し、この分割された蓋部をそれぞれ蝶番１４などの屈曲可能な連結部材で順次連結した構成であっても良い。
【００６５】
なおまた、上述した実施形態では、蓋ガイド部６がユニットケース３の側方に取り付けられているが、鍵盤シャーシ１０に取り付けられる構成であっても良い。
さらに、上述した実施形態では、コンソールパネル７が鍵盤ユニット１に一体となっているが、機種によって変更することも考えられるため、必ずしも一体である必要はない。
【００６６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６７】
（付記）
請求項１に記載の発明は、底板を有するユニットケース、鍵盤シャーシ、複数の鍵が並列に配列された鍵盤部、および複数の蓋部が折り曲がり可能に連結される鍵盤蓋をガイドする蓋ガイド部が一体に形成され、
前記蓋ガイド部は前記鍵盤蓋が前記鍵盤部の上側を覆った際に前記複数の蓋部をほぼ平板状に配置し、且つ前記鍵盤蓋が前記鍵盤部の上側を開放した際に前記複数の蓋部を折り曲げて前記鍵盤部の後部を覆う状態で配置する、
ことを特徴とする鍵盤ユニットである。
【００６８】
請求項２に記載の発明は、請求項１に記載された鍵盤ユニットにおいて、前記鍵盤蓋は、前記蓋ガイド部によってガイドされて前記鍵盤部を上側に開放した際に、前記複数の蓋部が折れ曲がって前記鍵盤部の後部に接近した状態で配置されていることを特徴とする鍵盤ユニットである。
【００６９】
請求項３に記載の発明は、請求項１に記載された鍵盤ユニットを備え、この鍵盤ユニットの前記ユニットケースに、機種によって大きさおよび形状が異なる複数の本体ケースのいずれかが、取り付けられていることを特徴とする鍵盤楽器である。
【００７０】
請求項４に記載の発明は、請求項３に記載の鍵盤楽器において、前記複数の本体ケースはそれぞれ後板、側板、および天板を備え、これら後板、側板、および天板はそれぞれ機種によって大きさおよび形状が異なっていることを特徴とする鍵盤楽器である。
【００７１】
請求項５に記載の発明は、請求項３または請求項４に記載の鍵盤楽器において、前記側板は前記ユニットケースと前記本体ケースとの両側部にその両方に跨った状態で設けられていることを特徴とする鍵盤楽器である。
【００７２】
請求項６に記載の発明は、請求項５に記載の鍵盤楽器において、前記側板の内面には、前記蓋ガイド部がそれぞれ設けられていることを特徴とする鍵盤楽器である。
【００７３】
請求項７に記載の発明は、請求項３〜請求項６のいずれかに記載の鍵盤楽器において、前記複数の本体ケース内にはスピーカが配置され、前記鍵盤蓋は、前記鍵盤部の上側を開放した際に、前記スピーカによって形成される音響空間を避けて位置することを特徴とする鍵盤楽器である。
【００７４】
請求項８に記載の発明は、請求項３〜請求項７のいずれかに記載の鍵盤楽器において、前記ユニットケースおよび前記本体ケースの少なくとも一方の下面にはスピーカが配置され、前記鍵盤蓋は、前記鍵盤部の上側を開放した際に、前記スピーカによって形成される音響空間を避けて位置することを特徴とする鍵盤楽器である。
【符号の説明】
【００７５】
１  鍵盤ユニット
３  ユニットケース
４  鍵盤部
５  鍵盤蓋
６  蓋ガイド部
７  コンソールパネル
８  底板
９  前板
１０  鍵盤シャーシ
１１  複数の鍵
１２  前蓋
１３  後蓋
１４  蝶番
１５  ガイド板
１６  ガイドレール
１７  ガイド部材
２３〜２５  第１〜第３の各本体ケース
２３ａ〜２５ａ  底板
２３ｂ〜２５ｂ  後板
２３ｃ〜２５ｃ  天板
２３ｄ〜２５ｄ  側板
２６  スピーカ
２８  取付板
【図１】
0005561498.tif 000002
【図２】
0005561498.tif 000003
【図３】
0005561498.tif 000004
【図４】
0005561498.tif 000005
【図５】
0005561498.tif 000006
【図６】
0005561498.tif 000007
【図７】
0005561498.tif 000008
【図８】
0005561498.tif 000009
【図９】
0005561498.tif 000010